(57)【要約】【課題】本発明は、圧接コンタクトに関し、従来の圧接コンタクトの背が高く、プリント基板や電子機器等への実装において低背化できないことが課題であって、それを解決することである。【解決手段】圧接用刃にケーブルの外皮が裂かれその後に圧接スポットの間隙に導入されてケーブルが電気的に接続される圧接部と、前記圧接部に延設されるとともに圧接用コネクタのハウジングの圧入保持部に圧入される絶縁体圧入部と、前記絶縁体圧入部の下位置から下部に向けて突出される接触部とからなる圧接コンタクトにおいて、上下方向における圧接部の領域範囲内に、上下方向における圧入部の範囲の一部若しくは全部を配設した圧接コンタクト１とするものである。【選択図】図１
2014212094.tif 000002
【特許請求の範囲】
【請求項１】
圧接用刃にケーブルの外皮が裂かれその後に圧接スポットの間隙に導入されてケーブルが電気的に接続される圧接部と、
前記圧接部に延設されるとともに圧接用コネクタのハウジングの圧入保持部に圧入される絶縁体圧入部と、
前記絶縁体圧入部の下位置から下部に向けて突出される接触部とからなる圧接コンタクトにおいて、
上下方向における圧接部の領域範囲内に、上下方向における圧入部の範囲の一部若しくは全部を配設したこと、
を特徴とする圧接コンタクト。
【請求項２】
絶縁体圧入部の基部から先端部側を、圧接部のスリット面が対向する方向とほぼ直交する方向に屈曲させて、当該圧入部が形成されていること、
を特徴とする請求項１に記載の圧接コンタクト。
【請求項３】
請求項１または請求項２に記載の圧接コンタクトを、ハウジングに設けられた所望数のコンタクト用の圧入部に圧入し挿着してなること、
を特徴とする圧接用コネクタ。
【発明の詳細な説明】
【技術分野】
【０００１】
本発明は、圧接コンタクトの形状に係る構造と、その圧接コンタクトを使用した圧接用コネクタに関するものである。
【背景技術】
【０００２】
従来、圧接コンタクト１１は、図３に示すように、上から圧接部１１ａ、中間に圧入部１１ｂ、下部に接触部１１ｃと、同軸上に配置されている。従って、このような圧接コンタクト１１の上下方向の背の高さは、前記各部の寸法を単純に合計したものであるので、全体の背が高くなっている。このような背の高い圧接コンタクト１１を使用したものとしては、その一例として特許文献１に記載のものが知られている。
【先行技術文献】
【特許文献】
【０００３】
【特許文献１】特開平０８−２９３３３２号公報
【発明の概要】
【発明が解決しようとする課題】
【０００４】
しかし、従来の圧接コンタクト１１は、前記圧接部１１ａ、圧入部１１ｂ、接触部１１ｃと、同一軸上に配置されていることから、全体の背が高くなり、低背化が困難である。従って、電子機器などの薄型化に設計上の支障となるものである。本発明に係る圧接コンタクトと圧接用コネクタは、このような課題を解決するために提案されたものである。
【課題を解決するための手段】
【０００５】
本発明に係る圧接コンタクトの上記課題を解決して目的を達成するための要旨は、圧接用刃にケーブルの外皮が裂かれその後に圧接スポットの間隙に導入されてケーブルが電気的に接続される圧接部と、前記圧接部に延設されるとともに圧接用コネクタのハウジングの圧入保持部に圧入され絶縁体圧入部と、前記絶縁体圧入部の下位置から下部に向けて突出される接触部とからなる圧接コンタクトにおいて、上下方向における圧接部の領域範囲内に、上下方向における圧入部の範囲の一部若しくは全部を配設したことである。
前記絶縁体圧入部の基部から先端部側を、圧接部のスリット面が対向する方向とほぼ直交する方向に屈曲させて、当該圧入部が形成されていることを含むものである。
【０００６】
本発明に係る圧接コネクタの要旨は、本発明に係る前記圧接コンタクトを、ハウジングに設けられた所望数のコンタクト用の圧入部に圧入し挿着してなることである。
【０００７】
本発明に係る圧接コンタクトによれば、上下方向における圧接部の領域内に、圧入部の一部が重複して配設されて、コンタクト全体の上下方向における背の高さが低くなるものである。また、この圧接コンタクトを用いることで、低背化された圧接コネクタとなる。
【発明の効果】
【０００８】
本発明の圧接コンタクトと圧接用コネクタによれば、コンタクトの上下方向の全長が短縮され、これを使用する圧接コネクタによりプリント基板や電子機器の低背化に貢献するものとなると言う優れた効果を奏するものである。
【図面の簡単な説明】
【０００９】
【図１】本発明に係る圧接コンタクト１の斜め上前方から見た斜視図（Ａ）と、斜め下前方から見た斜視図（Ｂ）である。
【図２】同本発明の圧接コンタクト１の正面図（Ａ）、側面図（Ｂ）、平面図（Ｃ）である。
【図３】従来例に係る圧接コンタクト１１の正面図（Ａ）、側面図（Ｂ）である。
【発明を実施するための形態】
【００１０】
本発明に係る圧接コンタクト１は、図１に示すように、低背化させるものである。
【実施例１】
【００１１】
本発明に係る圧接コンタクト１は、図１に示すように、圧接用刃１ａａにケーブルの外皮が裂かれその後に圧接スポット１ｄの間隙に導入されて前記ケーブルが電気的に接続される圧接部１ａと、前記圧接部１ａに延設されるとともに圧接用コネクタ（図示せず）のハウジングの圧入保持部に圧入される絶縁体圧入部１ｂと、前記絶縁体圧入部１ｂの下位置から下部に向けて突出される接触部１ｃとからなる。
【００１２】
そして、図２（Ａ），（Ｂ）に示すように、上下方向における圧接部１ａの領域範囲内に、上下方向における絶縁体圧入１ｂ部の範囲の一部若しくは全部を配設したことである。
【００１３】
前記絶縁体圧入部１ｂの基部から先端部側を、図２（Ｃ）に示すように、圧接部１ａの圧接スポット１ｄにおける、圧接片１ａｂのスリット面が対向する方向ａとほぼ直交する方向ｂに向け屈曲させて、当該絶縁体圧入部１ｂが形成されている。
【００１４】
このようにすることで、圧接用コネクタ（図示せず）におけるハウジングの圧入保持部に、前記絶縁体圧入部１ｂを圧入する際に、当該絶縁体圧入部１ｂにかかる力（反発力）の方向を、図２（Ａ）に示すように、圧接部１ａの圧接片１ａｂの可動方向（ａ）とすることで、圧接部１ａへのダメージを少なくすることができて、確実な電気的接続が実現される。これも、上下方向における圧接部１ａの領域範囲（圧接スポット１ｄの最下部）内に、上下方向における絶縁体圧入１ｂ部の範囲の一部若しくは全部を配設したからである。
【００１５】
前記絶縁体圧入部１ｂは、その一部が上下方向において圧接部１ａの領域範囲内にあるので、図２（Ｂ）に示すように、上下方向における重複範囲２の分だけ、当該圧接部１ａと絶縁体圧入部１ｂとをそれぞれ単純に加算した寸法よりも短くなるものである。
【００１６】
具体的な低背化としては、図２（Ａ），（Ｂ）に示すように、圧接部１ａの圧接スポット１ｄの最下位置から下側において、絶縁体圧入部１ｂが形成されるのでは無く、圧接部１ａの途中から絶縁体圧入部１ｂが形成されているものである。
【００１７】
そして、本発明に係る圧接コネクタは、前記圧接コンタクト１を、ハウジングに設けられた所望数のコンタクト用の圧入部に圧入し挿着してなるものである。これにより、圧接コネクタが低背化される。
【００１８】
こうして、本発明に係る圧接コンタクトが低背化されるとともに圧接部のダメージを少なくし、圧接コネクタによって電子機器の低背化を実現させるものである。
【産業上の利用可能性】
【００１９】
本発明に係る圧接コンタクトおよび圧接用コネクタは、電子機器の低背化に広く適用できるものである。
【符号の説明】
【００２０】
１        圧接コンタクト、            １ａ      圧接部、
１ａａ    圧接用刃、                  １ａｂ    圧接片、  
１ｂ      圧入部、                    １ｃ      接触部、
１ｄ      圧入スポット、
１１      圧接コンタクト、            １１ａ    圧接部、
１１ｂ    圧入部、                    １１ｃ    接触部、
１１ｄ    圧接スポット。
【図１】
2014212094.tif 000003
【図２】
2014212094.tif 000004
【図３】
2014212094.tif 000005